【事件の表示】
　商願２０１５−　５６２５３拒絶査定不服審判事件について、次のとおり審決する。
【結　論】
　本件審判の請求は、成り立たない。
【理　由】
第１　本願商標
　本願商標は、「Ｐｏｗｅｒ　Ｓｔｏｎｅ　Ｎａｉｌ」及び「パワーストーンネイル」の文字を二段に横書きしてなり、第３５類「化粧品の小売又は卸売の業務において行われる顧客に対する便益の提供，爪用化粧品の小売又は卸売の業務において行われる顧客に対する便益の提供，化粧用具（「電気式歯ブラシ」を除く。）の小売又は卸売りの業務において行われる顧客に対する便益の提供，つめ用化粧用具の小売又は卸売りの業務において行われる顧客に対する便益の提供，つけ爪装飾用のシールの小売又は卸売の業務において行われる顧客に対する便益の提供，人工爪の小売又は卸売の業務において行われる顧客に対する便益の提供，ネイルアート用アクリル性つけ爪の小売又は卸売の業務において行われる顧客に対する便益の提供，マニキュアセットの小売または卸売の業務において行われる顧客に対する便益の提供，ペディキュアセットの小売または卸売の業務において行われる顧客に対する便益の提供，爪きりの小売又は卸売の業務において行われる顧客に対する便益の提供，つめ磨き（電動式のもの又は電動式でないもの）の小売又は卸売の業務において行われる顧客に対する便益の提供，貴金属の小売又は卸売の業務において行われる顧客に対する便益の提供，宝玉・半貴石及びそれらの原石・模造品の小売又は卸売の業務において行われる顧客に対する便益の提供，化粧品・歯磨き及びせっけん類の小売又は卸売の業務において行われる顧客に対する便益の提供，つけづめの小売又は卸売の業務において行われる顧客に対する便益の提供，つけづめ固定用の接着剤の小売又は卸売の業務において行われる顧客に対する便益の提供，宝玉及びその模造品の小売又は卸売の業務において行われる顧客に対する便益の提供，爪の美容に関する知識を有する者の斡旋，職業のあっせん，広告，広告文の作成，広告場所・広告タイムの貸与，経営の診断又は経営に関する助言，市場調査又は分析，商品の販売に関する情報の提供，化粧品・香料類及び香水類及び美容用品の分野における市場調査，宝石及び貴金属の販売に関する事務の代理又は代行，宝玉及びその模造品の販売に関する情報の提供，宝飾品・ダイヤモンド・宝玉の原石・半貴石の原石・宝玉・半貴石及び時計の売買契約の仲介」及び第４４類「美容，爪の美容及びこれに関する情報の提供，爪のカット・甘皮の処理・やすりがけ・マッサージ・パック・ネイルアートを主とする手又は足の美容，爪用アクセサリーの装着を内容とするネイルアートを主とする美容，ネイルケア美容，ネイルサロンに関する情報の提供，インターネットを用いて行うネイルサロンに関する予約の媒介又は取次ぎ，爪の美容院用の機械器具の貸与及びこれに関する情報の提供」を指定役務として、平成２７年６月１３日に登録出願されたものである。 
  
第２　原査定の拒絶の理由の要点
　原査定は、「本願商標は、『Ｐｏｗｅｒ　Ｓｔｏｎｅ　Ｎａｉｌ」の文字と、『パワーストーンネイル』の文字とを、普通に用いられる方法の範囲内で、上下二段に横書きしてなるところ、その構成中、『Ｐｏｗｅｒ　Ｓｔｏｎｅ』、『パワーストーン』の文字は『特別な力をもつ宝石や貴石』を意味する語であって、また、『ｎａｉｌ』、『ネイル』の文字は『爪』を意味し、美容関連の業界においては、『ネイルアート』や『ネイルケア』の略語としてしばしば使用されているものであるから、本願商標全体としては『特別な力をもつ宝石や貴石を用いたネイルアート・ネイルケア』程の意味合いを有するものというのが相当である。そして、美容関連の業界においては、『パワーストーン』を用いたネイルアート等が提供されており、それらを『Ｐｏｗｅｒ　Ｓｔｏｎｅ　Ｎａｉｌ』『パワーストーンネイル』と称している実情があり、また、それらに関する商品（爪の装飾用の『パワーストーン』）が販売されている実情もあることよりすれば、本願商標に接する取引者・需要者は、これより上記の意味合いを容易に看取し得るものといえる。そうすれば、本願商標をその指定役務中、『特別な力をもつ宝石や貴石を用いたネイルアート・ネイルケアに関する知識を有する者の斡旋』、『特別な力をもつ宝石や貴石を用いたネイルアート』、『特別な力をもつ宝石や貴石を用いたネイルアートを行う爪の美容院用の機械器具の貸与及びこれに関する情報の提供』などの、『Ｐｏｗｅｒ　Ｓｔｏｎｅ　Ｎａｉｌ』『パワーストーンネイル』の文字に相応する役務に使用するときは、単にその役務の質を普通に用いられる方法で表示するものであり、また、指定役務中、小売等役務（商標法第２条第２項に規定する役務）に使用しても、それに接する需要者は、これより上記の意味合いを容易に看取し、当該小売等役務が『特別な力をもつ宝石や貴石を用いたネイルアート・ネイルケアに関する商品』を主として取り扱っていることを表現していると認識・理解するにとどまり、結局、何人かの業務に係る役務であることを認識することができない。したがって、本願商標は、商標法第３条第１項第３号及び同第６号に該当し、前記役務以外の役務（第３５類『爪の美容に関する知識を有する者の斡旋，職業のあっせん』及び第４４類の全指定役務）に使用するときは、役務の質の誤認を生じさせるおそれがあるので、商標法第４条第１項第１６号に該当する。」旨、認定、判断し、本願を拒絶したものである。
第３　当審の判断 
　１　商標法第３条第１項第３号及び同法第４条第１項第１６号該当性について 
 本願商標は、「Ｐｏｗｅｒ　Ｓｔｏｎｅ　Ｎａｉｌ」及び「パワーストーンネイル」の文字を二段に横書きしてなるところ、その構成中の「Ｐｏｗｅｒ　Ｓｔｏｎｅ」及び「パワーストーン」の文字は「特別な力をもつ宝石や貴石。」（「現代用語の基礎知識　２０１７大字版」株式会社自由国民社）を意味する語であり、また、「Ｎａｉｌ」及び「ネイル」の文字は、「爪、指の爪」を意味する語として、ともに一般によく知られている語といえるものである。
　そして、該「Ｎａｉｌ」及び「ネイル」の文字は、「爪のおしゃれ。爪に絵を描いたり、小粒の宝石を飾ったりすること。」を意味する「ネイルアート」、「爪の手入れ。長さや形を整える。甘皮の処理」を意味する「ネイルケア」や、「爪の手入れやネイルアートをほどこす美容院」を意味する「ネイルサロン」（いずれも「コンサイスカタカナ語辞典　第４版」株式会社三省堂）のように、爪の装飾や手入れに関する美容の用語の一部に使用されているものであって、「爪に関する美容」をも意味する語として理解されているものである。
　そうすると、「パワーストーンネイル」及びこれを英語表記した「Ｐｏｗｅｒ　Ｓｔｏｎｅ　Ｎａｉｌ」の文字は、その構成文字全体として、「パワーストーン（特別な力を持つ宝石や貴石）を使用して装飾した爪」程の意味合いを容易に理解させるといえるものである。
　そして、爪に関する美容の分野においては、「○○○ネイル」の文字が、「○○○を使用して、爪にデザインや装飾を行う美容」程の意味合いを有する語として、また、「パワーストーンネイル」及び「Ｐｏｗｅｒ　Ｓｔｏｎｅ　Ｎａｉｌ」の文字が、「パワーストーンを使用して爪にデザインや装飾を行う美容」程の意味合いを有する語として、原審で示した事実のほか、以下のように使用されている事実がある。
（１）「○○○ネイル」の使用について（下線は合議体が付与。以下、同じ。）
　ア　「ジェルネイルキット実践記　ｂｙあゆ」のウェブサイトにおいて、「ジェルネイルって何？」の見出しの下、「
ジェルネイル
（http://www.ayu-nail.com/jelltoha.html）
　イ　「ＨＯＴ　ＰＥＰＰＥＲ　Ｂｅａｕｔｙ」内の「お役立ちネイル用語集」ウェブサイトにおいて、「ホログラムネイル」の見出しの下、「
ホログラムネイル
(https://beauty.hotpepper.jp/dock/bn/nail_glossary/ha/08.html)
(https://beauty.hotpepper.jp/dock/bn/nail_glossary/na/12.html)
　ウ　「ネタＣＵＢＥ」のウェブサイトにおいて、「ジェルネイル−デザインの種類と名前（１）シンプル編」の見出しの下、「
ワンカラーネイル
(http://netacube.com/nail#i)
　以上によれば、「○○○ネイル」の文字については、例えば、上記した内容における、「ジェルネイルとは、「『ジェル』と呼ばれる液体を爪に塗り・・・仕上げるネイルのことです。」、「ホログラムネイルとは、ホログラムという・・・を使ったネイルのこと。」の記載に照らせば、「○○○を使用してデザインや装飾を施した爪」の意味合いを容易に理解させるものとして使用されているといえるものである。
（２）「パワーストーンネイル」及び「Ｐｏｗｅｒ　Ｓｔｏｎｅ　Ｎａｉｌ」の使用について
＜書籍＞
　２０１１年１２月７日ＫＫベストセラーズ発行の「指先が叶えるＬＯＶＥ＆ＨＡＰＰＹ　幸せを呼ぶ風水ネイル」において、その７５頁に、「ＰＯＷＥＲ　ＳＴＯＮＥ　
パワーストーンネイル
＜インターネット情報＞
　ア　「Ｒｏｃｏｃｏ　Ｌｏｖｅｌｙａ　Ｎａｉｌ」のウェブサイトにおいて、「
パワーストーンネイル
(http://rococo-ts.com/psnail/)
　イ　「彩月Ｎａｉｌ　Ｓａｌｏｎ」のウェブサイトにおいて、「モザイクネイル／２０１６−１０−０８」の見出しの下、「
パワーストーンネイル
パワーストーンネイル
(https://ameblo.jp/nail-saiduki/entry-12206676339.html)
　ウ　「女性専用サロン　Ｒｏｓｅ　Ｍｏｎｄｅ」のウェブサイトにおいて、「
パワーストーンネイル
Ｐｏｗｅｒ　Ｓｔｏｎｅ　Ｎａｉｌ
パワーストーンネイル
(http://rose-monde.com/nail/#stone)
　エ　「ヒーリングアロマネイル　ｋｉｓａｒａｉ」のウェブサイトにおいて「
Ｐｏｗｅｒ　Ｓｔｏｎｅ　Ｎａｉｌ
パワーストーンネイル
パワーストーンネイル
(http://www.kisarai.com/powerstone.htm)
　オ　「パワーストーンネイル　三日月」のウェブサイトにおいて、「
パワーストーンネイル
パワーストーンネイル
（http://nail-mikazuki.jp/category_01/index.html)
　カ　「パワーストーン＆ネイルサロンｃｌｅａｒのブログ」のウェブサイトにおいて、「
パワーストーンネイル
(https://ameblo.jp/clear1133/entry-12170322891.html)
　キ　「ネイルサロン　ジュネル＆ルイーズ」のウェブサイトにおいて、「パワーストーン」の見出しの下、「
パワーストーンネイル
(http://nail-jenelle.com/stone.html)
　ク　「ネイルサロン　マリーヤン」のウェブサイトにおいて、「パワーストーンネイルって何？」の見出しの下、「
パワーストーンネイル
(http://nail.mallieyan.jp/)
　ケ　「爪の美容院　美ＮＡＩＬ」のウェブサイトにおいて、「指先から運気アップ！天然パワーストーン入荷しました」の見出しの下、「天然パワーストーン　ネイル（サームストーン）／運気アップ！天然石パワーストーン１粒￥７３５・・・地球のエネルギーをネイルにのせて、指先からハッピーに！ぜひ天然
パワーストーンネイル
(http://www.bnail.jp/stone.htm)
　コ　「Ｇｒａｃｅ　Ｎａｉｌ」のウェブサイトにおいて、「パワーストーンネイル」の見出しの下、「芸能人やセレブの間で話題になっている
パワーストーンネイル
(http://home.netyou.jp/77/grace/powerstone.html）
　サ　「Ｂｅａｕｔｙ　ｃｈａｏｏ」のウェブサイト内の「ｎａｉｌ　ｓａｌｏｎ　Ｖｉｌｉｓｓ　Ｎａｉｌ」に係るウェブサイトにおいて、「ネイルカタログ」の見出しの下、「
パワーストーンネイル
(https://b.chaoo.jp/nail/vilissnail/styles）　
　シ　「マツエクサロン　ＶＩＶＩＮＡＩＬ」のウェブサイトにおいて、「２０１６年０２月１３日／
パワーストーンネイル
(http://salon.vivinail.jp/information/%E3%83%91%E3%83%AF%E3%83%BC%E3%82%B9%E3%83%88%E3%83%BC%E3%83%B3%E3%83%8D%E3%82%A4%E3%83%AB%E5%A7%8B%E3%82%81%E3%81%BE%E3%81%97%E3%81%9F%E2%99%AA/）
　以上によれば、「パワーストーンネイル」及び「Ｐｏｗｅｒ　Ｓｔｏｎｅ　Ｎａｉｌ」の文字については、例えば、上記した内容における、「Ｐｏｗｅｒ　Ｓｔｏｎｅ　Ｎａｉｌ／パワーストーンネイル／Ｒｏｓｅ　Ｍｏｎｄｅのパワーストーンネイル／Ｒｏｓｅ　Ｍｏｎｄｅでは、特殊製法でパウダー化したパワーストーンをジェルネイルに混ぜ使用します。」、「パワーストーンネイルは、パワーストーン原石を特殊な方法でパウダー化したものをジェルネイルに入れ込みます。」、「パワーストーンネイルは、パワーストーンの原石を特殊な技術で超微粒子のナノパウダーにまで粉砕して、ジェルやスカルプ、マニキュアなどに溶かして使います。」、「パワーストーンネイルとは、従来のジェルネイルを施術する過程で、パウダー状のパワーストーンをジェルに混ぜ合わせ色出しをし、ナチュラルでやさしい色合いのカラーリングをします。」等の記載に照らせば、「パワーストーンを使用して爪にデザインや装飾を行う美容」程の意味合いを容易に理解させるものとして使用されているものである。
　そうすると、「Ｐｏｗｅｒ　Ｓｔｏｎｅ　Ｎａｉｌ」及び「パワーストーンネイル」の文字からなる本願商標を、第４４類の指定役務中、例えば、「パワーストーンを使用して爪の装飾を行う美容，パワーストーンを使用して爪の装飾を行う美容及びこれに関する情報の提供，パワーストーンを使用して爪の装飾を行う美容のための爪のカット・甘皮の処理・やすりがけ・マッサージ・パック・ネイルアートを主とする手又は足の美容，パワーストーンを使用して爪の装飾を行う美容のための爪用アクセサリーの装着を内容とするネイルアートを主とする美容，パワーストーンを使用して爪の装飾を行うためのネイルケア美容，パワーストーンを使用して爪の装飾を行うネイルサロンに関する情報の提供，インターネットを用いて行うパワーストーンを使用して爪の装飾を行うネイルサロンに関する予約の媒介又は取次ぎ，パワーストーンを使用して爪の装飾を行う爪の美容院用の機械器具の貸与及びこれに関する情報の提供」に使用したときは、これに接する取引者、需要者は、「パワーストーンを使用して爪にデザインや装飾を行う美容に関する役務」であると理解するものであるから、これは、役務の質を表したものとして理解されるにすぎないものであって、自他役務の識別標識として認識し得ないものである。
　したがって、本願商標は、役務の質を普通に用いられる方法で表示する標章のみからなる商標であるから、商標法第３条１項第３号に該当する。
　また、本願商標は、第４４類の指定役務中、前記役務以外の「美容，爪の美容及びこれに関する情報の提供，爪のカット・甘皮の処理・やすりがけ・マッサージ・パック・ネイルアートを主とする手又は足の美容，爪用アクセサリーの装着を内容とするネイルアートを主とする美容，ネイルケア美容，ネイルサロンに関する情報の提供，インターネットを用いて行うネイルサロンに関する予約の媒介又は取次ぎ，爪の美容院用の機械器具の貸与及びこれに関する情報の提供」に使用するときは、これらの役務が、あたかも「パワーストーンを使用して爪の装飾を行う美容に関する役務」であるかのように、役務の質を誤認するおそれがあるものであるから、同法第４条第１項第１６号に該当する。
　２　商標法第３条１項第６号該当性について
　本願商標は、前記１のとおり、各語の意味からすれば、その構成文字全体として、「パワーストーンネイル（特別な力を持つ宝石や貴石）を使用して装飾した爪」程の意味合いを容易に理解させるものといえるものである。
　そして、爪の美容に関する商品の小売業の分野においては、「Ｐｏｗｅｒ　Ｓｔｏｎｅ　Ｎａｉｌ」（ＰＯＷＥＲ　ＳＴＯＮＥ　ＮＡＩＬ）及び「パワーストーンネイル（ネール）」の文字が、「パワーストーンを使用して爪を装飾するための商品」程の意味合いを有する語として、原審説示の事実のほか、以下のように使用されている実情がある。
　＜インターネット情報＞
（１）「
パワーストーンネイル
パワーストーンネイル
ＰａｗｏｒＳｔｏｎｅ　Ｎａｉｌ
(http://www.phangan.jp/nail.html)
（２）「ＷＯＲＬＤ　ＳＴＯＮＥ」のウェブサイトにおいて、「ネイル＆ボディージュエリーに　ガーネット　５個入り　２．５ｍｍ　１月誕生石　天然石ネイル＆ボディージュエリーパーツ／価格：４８０円／・・・ガーネット　５個入り　２．５ｍｍ　１月誕生石　
パワーストーンネイル
(http://www.phangan.jp/SHOP/DN0001.html)
（３）楽天市場ホームページ内「ネイルショップ　キャラカ」のウェブサイトにおいて、「今話題の
パワーストーンネイル
(https://item.rakuten.co.jp/callaca/eko-stf-12-b/）
（４）楽天市場ホームページ内の「ＣＢｅａｕｔｙ　Ｐｒｏｓｈｏｐ」のウェブサイトにおいて、「指先にパワーを　天然石　顔料」の見出しの下、「パワーストーンネイルパウダー　１２色セットＡ・・・／今話題の
パワーストーンネイル
（https://item.rakuten.co.jp/c-beautyproshop/10000817/)
（５）「ＮＥＴＳＥＡ」のウェブサイトにおいて、「ＮＹニューヨークセレブに大人気！の≪天然石　加工なしのダイヤモンドパウダー　１０カラット≫」の見出しの下、「永遠の憧れ≪ダイヤモンド≫１００％ナチュラルな希少宝石パウダーです／・・・ダイヤモンドパウダーは世界中のセレブから大人気。用途は様々ですが、中でも
パワーストーンネイル
パワーストーンネール
（http://www.netsea.jp/shop/36551/diamond-pw-deco)
（６）「Ａｍａｚｏｎ．ｃｏ．ｊｐ」のウェブサイトにおいて、「ビューティー／ネイル／ネイルデザイン／ネイルアートパーツ／シール・ステッカー」の見出しの下、「３ｇパワーストーン！天然石ネイル《アクアマリン》
ＰＯＷＥＲ　ＳＴＯＮＥ　ＮＡＩＬ
(https://www.amazon.co.jp/mmilly-%EF%BC%93g%E3%83%91%E3%83%AF%E3%83%BC%E3%82%B9%E3%83%88%E3%83%BC%E3%83%B3-%E5%A4%A9%E7%84%B6%E7%9F%B3%E3%83%8D%E3%82%A4%E3%83%AB%E3%80%8A%E3%82%A2%E3%82%AF%E3%82%A2%E3%83%9E%E3%83%AA%E3%83%B3%E3%80%8BPOWER-STONE-NAIL%E2%98%85%E3%82%B1%E3%83%BC%E3%82%B9%E5%85%A5%E2%98%85/dp/B00A63WBAI）
（７）楽天市場ホームページ内の「ｍｍｉｌｌｙ」のウェブサイトにおいて、「パワーストーン・天然石／大粒パワーストーン」の見出しの下、「一粒パワーストーン！天然石ネイル《ターコイズ６×８ミリ・１個入》
ＰＯＷＥＲ　ＳＴＯＮＥ　ＮＡＩＬ
(https://item.rakuten.co.jp/mmilly/10001049/）
（８）「Ｃｒｅｅｍａ」のウェブサイトにおいて、「０６４−０６７　天然石ネイル」の見出しの下、「選べる
パワーストーンネイル
(https://www.creema.jp/item/2662943/detail）
（９）「ＹＡＨＯＯ！ショッピング」サイト内の、「ｆｉｒｓｔ　ｎａｉｌ」のウェブサイトにおいて、「ネイルチップ／
パワーストーンネイル
（https://store.shopping.yahoo.co.jp/nagasaki787/psnail-no11.html)
（１０）「ｍｉｎｎｅ」のウェブサイトにおいて、「ファッション／ネイルチップ」の見出しの下、「ターコイズ◇天然石
パワーストーンネイル
(https://minne.com/items/5571622)
　以上によれば、パワーストーンを使った爪の装飾用の材料や、パワーストーンを使用して装飾されたネイルチップが、「パワーストーンネイル」及び「Ｐｏｗｅｒ　Ｓｔｏｎｅ　Ｎａｉｌ」（ＰＯＷＥＲ　ＳＴＯＮＥ　ＮＡＩＬ）の文字とともに紹介、販売されている実情があることからすると、これらの商品を取り扱う小売業の取引者、需要者は、「パワーストーンネイル」及び「Ｐｏｗｅｒ　Ｓｔｏｎｅ　Ｎａｉｌ」（ＰＯＷＥＲ　ＳＴＯＮＥ　ＮＡＩＬ）の文字は、その取扱商品が、「パワーストーンを使用して爪を装飾するための商品」であることを説明したものであると、理解するものというのが相当である。
　そうすると、「Ｐｏｗｅｒ　Ｓｔｏｎｅ　Ｎａｉｌ」及び「パワーストーンネイル」の文字からなる本願商標を、第３５類の指定役務中、例えば、「化粧品の小売又は卸売の業務において行われる顧客に対する便益の提供，爪用化粧品の小売又は卸売の業務において行われる顧客に対する便益の提供，化粧用具（「電気式歯ブラシ」を除く。）の小売又は卸売りの業務において行われる顧客に対する便益の提供，つめ用化粧用具の小売又は卸売りの業務において行われる顧客に対する便益の提供，つけ爪装飾用のシールの小売又は卸売の業務において行われる顧客に対する便益の提供，人工爪の小売又は卸売の業務において行われる顧客に対する便益の提供，ネイルアート用アクリル性つけ爪の小売又は卸売の業務において行われる顧客に対する便益の提供，マニキュアセットの小売または卸売の業務において行われる顧客に対する便益の提供，ペディキュアセットの小売または卸売の業務において行われる顧客に対する便益の提供，爪きりの小売又は卸売の業務において行われる顧客に対する便益の提供，つめ磨き（電動式のもの又は電動式でないもの）の小売又は卸売の業務において行われる顧客に対する便益の提供，貴金属の小売又は卸売の業務において行われる顧客に対する便益の提供，宝玉・半貴石及びそれらの原石・模造品の小売又は卸売の業務において行われる顧客に対する便益の提供，化粧品・歯磨き及びせっけん類の小売又は卸売の業務において行われる顧客に対する便益の提供，つけづめの小売又は卸売の業務において行われる顧客に対する便益の提供，つけづめ固定用の接着剤の小売又は卸売の業務において行われる顧客に対する便益の提供，宝玉及びその模造品の小売又は卸売の業務において行われる顧客に対する便益の提供」に使用したときは、これに接する取引者、需要者は、当該小売等役務の取扱商品が「パワーストーンを使用して爪を装飾するための商品」であること、すなわち取扱商品の用途、品質を表したものと理解するにとどまり、本願商標を、自他役務の識別標識としては、認識し得ないものである。
　したがって、本願商標は、需要者が何人かの業務に係る役務であることを認識することができない商標というのが相当であるから、商標法第３条１項第６号に該当する。
　３　請求人の主張について　
（１）商標法第３条第１項第３号及び同法第４条第１項第１６号について
　請求人は、「『パワーストーンネイル』又は『天然石ネイル』は、『パワーストーン又は天然石のような外観・模様又は質感を有するネイルアート』を表すものとして、天然石又はパワーストーンを用いないネイルアートについても使用されているという実態があり、『パワーストーンネイル』に触れた需要者は、『特別な力をもつ宝石や貴石を用いたネイルアート・ネイルケア』の意味を容易に看取することはできないから、本願商標は、具体的な品質表示とはいえず、商標法第３条第１項第３号に該当せず、また、役務の質の誤認を生じないため、同法第４条第１項第１６号にも該当しない」旨を主張している。
　しかしながら、前記１のとおり、爪に関する美容の分野において、パワーストーンを用いたネイルアート等が、爪の美容として、広く行われているものであって、「パワーストーンネイル」及び「Ｐｏｗｅｒ　Ｓｔｏｎｅ　Ｎａｉｌ」の文字が、爪に関する美容の一種として使用されている実情にあることは明らかである。
　そうすれば、本願商標は、具体的な品質表示とはいえない、ということはできないものであって、これを爪に関する美容の分野において使用したときは、これに接する取引者、需要者は、「パワーストーンを使用して爪にデザインや装飾を行う美容に関する役務」であるとの、役務の質を表したものとして理解されるものであるから、自他役務の識別標識としては、認識し得ないものである。
　そして、本願商標は、第４４類の指定役務中、上記の「パワーストーンを使用して爪にデザインや装飾を行う美容に関する役務」以外の、上記１に示した役務に使用するときは、当該役務であるかのように役務の質の誤認を生じるおそれがあるものである。
　よって、請求人の主張は、採用することができない。　
（２）商標法第３条第１項第６号について
　請求人は、「本号に該当する小売業において、爪の装飾用のパワーストーンについて、『パワーストーンネイル』または『Ｐｏｗｅｒ　Ｓｔｏｎｅ　Ｎａｉｌ』は使用されておらず、また、『パワーストーンネイル』または『Ｐｏｗｅｒ　Ｓｔｏｎｅ　Ｎａｉｌ』は、ネイルアートに関する商品の小売業において、『ネイルアート用パワーストーン』以外にも『パワーストーンの様な質感・外観を持つネイルアート用品』といった意味にも認識することができるものであるから、本願商標は識別標識としての機能を果たしうるものであり、本願商標は商標法第３条第１項第６号に該当しない」旨を主張している。
　しかしながら、前記２のとおり、爪の美容に関する商品として流通する化粧品や化粧用具及び宝石や貴石を取り扱う小売業の分野において、その取扱商品を説明する文字として「パワーストーンネイル」及び「Ｐｏｗｅｒ　Ｓｔｏｎｅ　Ｎａｉｌ」（ＰＯＷＥＲ　ＳＴＯＮＥ　ＮＡＩＬ）の文字が普通に使用されている実情にあることは明かである。
　そうすれば、本願商標に接する取引者、需要者は、本願商標が、爪の美容に関する商品を取り扱う小売等役務における取扱商品の用途、品質を表したものと理解するにとどまるというのが相当であり、自他役務の識別標識としては認識しないものというべきであるから、本願商標は、需要者が何人かの業務に係る役務であることを認識することができないものである。
　よって、請求人の主張は、採用することができない。
（３）追加の書類の提出について
　請求人は、追加の証拠を提出する旨を述べていたが、相当の期間が経過するも、追加の証拠の提出はなされなかった。
　したがって、請求人の上記主張は、いずれも採用することができない。　
　４　まとめ　
　以上のとおり、本願商標は、その指定役務中、第４４類「パワーストーンを使用して爪の装飾を行う美容，パワーストーンを使用して爪の装飾を行う美容及びこれに関する情報の提供，パワーストーンを使用して爪の装飾を行う美容のための爪のカット・甘皮の処理・やすりがけ・マッサージ・パック・ネイルアートを主とする手又は足の美容，パワーストーンを使用して爪の装飾を行う美容のための爪用アクセサリーの装着を内容とするネイルアートを主とする美容，パワーストーンを使用して爪の装飾を行うためのネイルケア美容，パワーストーンを使用して爪の装飾を行うネイルサロンに関する情報の提供，インターネットを用いて行うパワーストーンを使用して爪の装飾を行うネイルサロンに関する予約の媒介又は取次ぎ，パワーストーンを使用して爪の装飾を行う爪の美容院用の機械器具の貸与及びこれに関する情報の提供」については、商標法第３条第１項第３号に該当し、また、前記役務以外の「美容，爪の美容及びこれに関する情報の提供，爪のカット・甘皮の処理・やすりがけ・マッサージ・パック・ネイルアートを主とする手又は足の美容，爪用アクセサリーの装着を内容とするネイルアートを主とする美容，ネイルケア美容，ネイルサロンに関する情報の提供，インターネットを用いて行うネイルサロンに関する予約の媒介又は取次ぎ，爪の美容院用の機械器具の貸与及びこれに関する情報の提供」については、同法第４条第１項第１６号に該当する。
　さらに、本願商標は、その指定役務中、第３５類「化粧品の小売又は卸売の業務において行われる顧客に対する便益の提供，爪用化粧品の小売又は卸売の業務において行われる顧客に対する便益の提供，化粧用具（「電気式歯ブラシ」を除く。）の小売又は卸売りの業務において行われる顧客に対する便益の提供，つめ用化粧用具の小売又は卸売りの業務において行われる顧客に対する便益の提供，つけ爪装飾用のシールの小売又は卸売の業務において行われる顧客に対する便益の提供，人工爪の小売又は卸売の業務において行われる顧客に対する便益の提供，ネイルアート用アクリル性つけ爪の小売又は卸売の業務において行われる顧客に対する便益の提供，マニキュアセットの小売または卸売の業務において行われる顧客に対する便益の提供，ペディキュアセットの小売または卸売の業務において行われる顧客に対する便益の提供，爪きりの小売又は卸売の業務において行われる顧客に対する便益の提供，つめ磨き（電動式のもの又は電動式でないもの）の小売又は卸売の業務において行われる顧客に対する便益の提供，貴金属の小売又は卸売の業務において行われる顧客に対する便益の提供，宝玉・半貴石及びそれらの原石・模造品の小売又は卸売の業務において行われる顧客に対する便益の提供，化粧品・歯磨き及びせっけん類の小売又は卸売の業務において行われる顧客に対する便益の提供，つけづめの小売又は卸売の業務において行われる顧客に対する便益の提供，つけづめ固定用の接着剤の小売又は卸売の業務において行われる顧客に対する便益の提供，宝玉及びその模造品の小売又は卸売の業務において行われる顧客に対する便益の提供」については、同法第３条第１項第６号に該当する。
　したがって、本願商標は，商標法第３条第１項第３号及び同第４条第１項第１６号に該当し、かつ、同第３条第１項第６号に該当するから，これを登録することはできない。
　よって、結論のとおり審決する。